(57)【要約】【課題】ＨＤＤにおけるセキュリティを向上する。【解決手段】記録ビットの物理的配置により磁気ディスク１０に記録されるＲＯＭ情報（Ｉｂ）と、記録ビットが磁化されることにより記録されるコンテンツ情報（Ｉｏ）及び認証情報（Ｉｋ）と、を含む磁気記録情報（Ｉａ）をヘッド１９で読み出し、当該読み出し後に、ヘッド１９を用いてＤＣイレーズする。また、ＤＣイレーズ後、ＲＯＭ情報を読み出し、演算部９０がこれら情報（Ｉａ），（Ｉｂ），（Ｉｋ）からコンテンツ情報を取得する。このように、ＤＣイレーズ後にはじめて読み出すことが可能となるＲＯＭ情報を用いてコンテンツ情報を取得するので、コンテンツ情報取得の際には、磁気ディスク上にコンテンツ情報が残存することが無い。したがって、コンテンツ情報を読み出した後、第三者にコンテンツ情報を取得（不正コピーなど）されることがなくなる。【選択図】図１１
2010049733.tif 000002
【特許請求の範囲】
【請求項１】
磁気ビットの物理的配置により第１の情報が記録されるとともに、前記磁気ビットが磁化されることにより前記第１の情報とは異なる第２の情報が記録される情報記憶媒体と、
前記情報記憶媒体から前記第１の情報と前記第２の情報とを含む第３の情報を読み出す第１の再生手段と、
前記第１の再生手段により読み出された前記第３の情報に対応する前記第２の情報を、前記情報記憶媒体から消去する消去手段と、
前記第２の情報が消去された磁気ビットから、前記第１の情報を読み出す第２の再生手段と、
前記第１、第２の再生手段により読み出された前記第１、第３の情報から前記第２の情報を取得する情報取得手段と、を備える情報記憶装置。
【請求項２】
前記第２の情報には、コンテンツ情報と認証情報とが含まれ、
前記認証情報を用いた認証を実行し、当該認証結果に応じて、前記コンテンツ情報の外部出力を制御する出力制御手段を更に備える請求項１に記載の情報記憶装置。
【請求項３】
前記第１の情報の前記情報記憶媒体上での基本ビット長が、前記第２の情報の基本記録ビット長の２倍であることを特徴とする請求項１又は２に記載の情報記憶装置。
【請求項４】
前記第２の情報には、エラー訂正符号が含まれ、
前記第１の再生手段により前記第３の情報が読み出された段階で、前記エラー訂正符号を参照してエラー訂正が可能か否かを判断し、エラー訂正が不可である場合には、前記消去手段による前記第２の情報の消去を禁止する消去禁止手段を更に備える請求項１〜３のいずれか一項に記載の情報記憶装置。
【請求項５】
前記第２の情報には、位置制御情報が含まれていることを特徴とする請求項１〜４のいずれか一項に記載の情報記憶装置。
【請求項６】
磁気ビットの物理的配置により第１の情報が記録され、かつ前記磁気ビットが磁化されることにより前記第１の情報とは異なる第２の情報が記録された情報記憶媒体から、前記第１の情報と前記第２の情報とを含む第３の情報を読み出すステップと、
前記読み出された第３の情報に対応する前記第２の情報を、前記情報記憶媒体から消去するステップと、
前記第２の情報が消去された磁気ビットから、前記第１の情報を読み出すステップと、
前記読み出された前記第１、第３の情報から前記第２の情報を取得するステップと、を備える再生方法。
【発明の詳細な説明】
【技術分野】
【０００１】
本発明は、情報記憶装置及び再生方法に関し、特に磁気ビットが形成された情報記憶媒体を備える情報記憶装置、及び磁気ビットが形成された情報記憶媒体から情報を取得する再生方法に関する。
【背景技術】
【０００２】
近年、ハードディスクは、パソコンの記憶装置やＨＤＤレコーダー等の記憶装置として一般に普及されている。ハードディスクの記録密度は、年率ほぼ２倍近いペースで増大してきており、１０年前に比べて約１０００倍の密度になっている。
【０００３】
また、最近では、水平記録方式に代えて垂直磁気記録方式を採用することで、更なる記録密度の改善が図られている。また、更なる記録密度の改善手段として、ＤＴＭ（Discreet Track Media）やＢＰＭ（Bit Patterned Media）に関する研究開発が盛んに行われている。特にＢＰＭは、ディスク媒体のクロストラック方向およびダウントラック方向に、磁気的に分断された構成をとるため、隣接トラックへのクロスイレーズやクロストークを抑制できるとともに、ダウントラック方向の遷移ノイズを抑制できるという利点がある。また、ＢＰＭでは固定ビットパターンを転写（インプリント）により行うため、ＳＴＷ（Servo Track Write）にかかる工程を大幅に短縮することができる。
【０００４】
また、上述したＢＰＭ媒体の特徴を利用するものとして、図１７に示すように磁気ビットパターンの物理的配置により、大量のコンテンツ情報を記録するＢＰＭ-ＲＯＭと呼ばれる媒体の提案もなされている。
【０００５】
ところで、ＢＰＭ及びＢＰＭ−ＲＯＭは、大量のコンテンツを記録できるものの、現在のところ、そのコンテンツ情報の違法コピーや情報の改竄に対するセキュリティを強固なものにする手段についての提案はなされていない。一般に情報記憶媒体のセキュリティにおいては、図１８に示すように、情報記憶媒体（磁気ディスク）１１０にユーザがアクセスできないシステム領域１１２を設け、当該システム領域１１２に対して認証情報を記録しておく。そして、切り替え器１１８は、ヘッド１１４を用いて読み出される認証情報を外部から入力されるパスワードと照合し、その照合結果に基づいて、デコーダ１１６にてデコードされたコンテンツ情報を外部へ出力するか否かを管理する。
【０００６】
また、例えば、磁気的固定情報を用いてセキュリティを強化する手段として、認証情報を磁気固定パターンに担わせ、コンテンツのコピープロテクトを行う方法が、特許文献１に開示されている。
【０００７】
【特許文献１】特開２００６−２６０７１３号公報
【発明の開示】
【発明が解決しようとする課題】
【０００８】
しかしながら、上記特許文献１に記載の方法では、コンテンツ情報が出力された後、特殊な場合を除いて、コンテンツ情報は、情報記憶媒体に残るのが一般的である。勿論、コンテンツ情報を読み出した後に該コンテンツ情報の消去を行うことも可能ではあるが、実際に情報記憶媒体から完全に消去されたかどうかは、システムを信用するしかない。このため、残存しているコンテンツ情報がなりすまし等により読み出されるなどして、十分なセキュリティが担保されなくなるおそれがある。
【０００９】
そこで本発明は上記の課題に鑑みてなされたものであり、情報のセキュリティを向上することが可能な情報記憶装置及び再生方法を提供することを目的とする。
【課題を解決するための手段】
【００１０】
本明細書記載の情報記憶装置は、磁気ビットの物理的配置により第１の情報が記録されるとともに、前記磁気ビットが磁化されることにより前記第１の情報とは異なる第２の情報が記録される情報記憶媒体と、前記情報記憶媒体から前記第１の情報と前記第２の情報とを含む第３の情報を読み出す第１の再生手段と、前記第１の再生手段による前記第３の情報の読み出し後、前記情報記憶媒体から前記第２の情報を消去する消去手段と、前記第２の情報が消去された磁気ビットから、前記第１の情報を読み出す第２の再生手段と、前記第１、第２の再生手段により読み出された前記第１、第３の情報から前記第２の情報を取得する情報取得手段と、を備える情報記憶装置である。
【００１１】
これによれば、第１の情報と第２の情報とを含む第３の情報を第１の再生手段で読み出し、当該第３の情報を読み出した後に、消去手段を用いて第２の情報を消去する。また、第２の再生手段を用いて、第２の情報が消去された磁気ビットから第１の情報を読み出し、第１、第２の再生手段により読み出された第１、第３の情報から第２の情報を取得する。このように、第３の情報と、当該第３の情報を読み出した後、第２の情報を消去することによりはじめて読み出すことが可能となる第１の情報と、を用いて第２の情報を得るので、第２の情報の取得後は、情報記憶媒体に第２の情報が残存することが無い。したがって、第２の情報を読み出した後、第三者に第２の情報を取得されることがなくなることから、情報のセキュリティを向上することが可能となる。
【００１２】
本明細書記載の再生方法は、磁気ビットの物理的配置により第１の情報が記録され、かつ前記磁気ビットが磁化されることにより前記第１の情報とは異なる第２の情報が記録された情報記憶媒体から、前記第１の情報と前記第２の情報とを含む第３の情報を読み出すステップと、前記読み出された第３の情報に対応する前記第２の情報を、前記情報記憶媒体から消去するステップと、前記第２の情報が消去された磁気ビットから、前記第１の情報を読み出すステップと、前記読み出された前記第１、第３の情報から前記第２の情報を取得するステップと、を備える再生方法である。
【００１３】
これによれば、磁気ビットの物理的配置により情報記憶媒体に記録される第１の情報と、磁気ビットが磁化されることにより記録される第２の情報とを含む第３の情報を読み出し、当該第３の情報を読み出した後に、消去手段を用いて第２の情報を消去する。また、第２の情報が消去された磁気ビットから第１の情報を読み出し、これら第１、第３の情報から第２の情報を取得する。このように、第３の情報と、当該第３の情報を読み出した後、第２の情報を消去することによりはじめて読み出すことが可能となる第１の情報と、を用いるので、第２の情報の取得後は、情報記憶媒体に第２の情報が残存することが無い。したがって、第２の情報を読み出した後、第三者に第２の情報を取得されることがなくなることから、情報のセキュリティを向上することが可能となる。
【発明の効果】
【００１４】
本明細書に記載の情報記憶装置及び再生方法は、情報のセキュリティを向上することができるという効果を奏する。
【発明を実施するための最良の形態】
【００１５】
以下、本発明の情報記憶装置の一実施形態について図１〜図１６に基づいて詳細に説明する。
【００１６】
図１には一実施形態に係る情報記憶装置としてのハードディスクドライブ（Hard Disk Drive：ＨＤＤ）１００の内部構成が示されている。この図１に示すように、ＨＤＤ１００は、箱型の筺体１２と、筺体１２内部の空間（収容空間）に収容された磁気記憶媒体としての磁気ディスク１０、スピンドルモータ１４、ヘッド・スタック・アッセンブリ（ＨＳＡ）４０等と、を備える。なお、筺体１２は、実際には、ベースと上蓋（トップ・カバー）とにより構成されているが、図１では、図示の便宜上、ベースのみを図示している。
【００１７】
磁気ディスク１０は、表面が記録面とされた垂直磁気記録用の記憶媒体であり、スピンドルモータ１４によって、その回転軸回りに例えば４２００〜１５０００ｒｐｍなどの高速度で回転駆動される。スピンドルモータ１４は、図２のメインコントロールユニット６０の指示の下、サーボコントローラ５４により回転駆動される。なお、磁気ディスク１０は、表面と裏面の両面が記録面であっても良い。また、磁気ディスク１０は、図１の紙面直交方向に複数枚設けられていても良い。
【００１８】
ＨＳＡ４０は、図１に示すように、円筒形状のハウジング部３０と、ハウジング部３０に固定されたフォーク部３２と、フォーク部３２に保持されたコイル３４と、ハウジング部３０に固定されたキャリッジアーム３６と、キャリッジアーム３６に保持されたヘッドスライダ１６と、を備えている。なお、前述のように、磁気ディスク１０の表面と裏面の両面が記録面である場合には、キャリッジアーム及びヘッドスライダが磁気ディスク１０を挟んで上下対称に一対設けられる。また、磁気ディスクが複数枚設けられている場合には、各磁気ディスクの各記録面に対応して、キャリッジアームとヘッドスライダが設けられる。
【００１９】
キャリッジアーム３６は、例えばステンレス板を打ち抜き加工したり、アルミニウム材料を押し出し加工することにより成型される。ヘッドスライダ１６は、記録素子と再生素子とを含む記録再生ヘッド（以下、単に「ヘッド」と呼ぶ）１９（図２、図７、図１１参照）を有している。
【００２０】
ＨＳＡ４０は、ハウジング部３０の中心部分に設けられた軸受部材１８を介して、筺体１２に回転自在（Ｚ軸回りの回転が自在）に連結されている。また、ＨＳＡ４０が有するコイル３４と、筺体１２のベースに固定された永久磁石を含む磁極ユニット２４とにより構成されるボイスコイルモータ５０により、ＨＳＡ４０の軸受部材１８を中心とした揺動が行われる。ボイスコイルモータ５０は、図２のメインコントロールユニット６０の指示の下、サーボコントローラ５４により駆動される。なお、図１では、揺動の軌道が、一点鎖線にて示されている。
【００２１】
図２には、ＨＤＤ１００の制御系がブロック図にて示されている。このＨＤＤ１００の制御系は、ヘッド１９と接続されたプリアンプ５２と、スピンドルモータ１４及びボイスコイルモータ５０に接続された前述したサーボコントローラ５４と、これらを統括制御するメインコントロールユニット６０と、当該メインコントロールユニット６０に接続されたメモリ５６及びデータバッファメモリ５８と、を備えている。
【００２２】
上記のように構成されるＨＤＤ１００では、磁気ディスク１０に対するデータ（情報）の読み書きは、メインコントロールユニット６０の指示の下、プリアンプ５２を介して垂直磁気記録再生用のヘッド１９によって行われる。この場合、ヘッド１９を保持するヘッドスライダ１６は、磁気ディスク１０の回転によって生じる揚力によって、磁気ディスク１０の表面から浮上するため、ヘッド１９は磁気ディスク１０との間に微小間隔を維持した状態でデータの読み書きを実行する。また、サーボコントローラ５４によるボイスコイルモータ５０の駆動により、キャリッジアーム３６が揺動されることにより、ヘッド１９が磁気ディスク１０のトラック横断方向にシーク移動して、読み書き対象のトラックを変更する。
【００２３】
次に、本実施形態の磁気ディスク１０の構成について図３に基づいて詳細に説明する。
【００２４】
図３は、磁気ディスク１０の積層構造を概略的に示す図である。この図３に示すように、磁気ディスク１０は、ガラス基板１０ａと、複数の層を順次積層して構成される積層部１１と、を備えている。
【００２５】
ガラス基板１０ａの材料としては、例えば、結晶化ガラス基板、強化ガラス基板等が用いられる。積層部１１は、密着層１０ｂ、軟磁性裏打ち層（ＳＵＬ（Soft Under Layer）層）１０ｃ、下地層１０ｄ、中間層１０ｅ、記録ビットから成る垂直磁性層１０ｆ、非磁性層１０ｇ、保護層１０ｈを有している。このうち、垂直磁性層１０ｆはＣｏ合金（ＣｏＣｒ、ＣｏＰｔ，ＣｏＣｒＰｔ，ＣｏＣｒＴａなど）等を材料とする。また、保護層１０ｈの表面（上面）には、不図示の潤滑層が設けられている。
【００２６】
次に、上記磁気ディスク１０の製造方法について、図４に基づいて詳細に説明する。
【００２７】
まず、磁気ディスク１０にパターニングを施すために用いられる（垂直磁性層１０ｆを記録ビットとするために用いられる）ＢＰＭ原盤の製造方法について説明する。このＢＰＭ原盤の製造においては、まず、ＢＰＭ原盤の基板（原盤）を用意し、その表面に１０ｎｍ程度の厚みのレジストを塗布（ステップＳ１０）し、電子線露光を実行する（ステップＳ１２）。
【００２８】
この電子線露光では、図５に示すような電子線露光装置（ＥＢ露光装置）２００が用いられる。この図５に示す電子線露光装置２００は、水平面内での移動が可能な二次元ステージ２０８と、二次元ステージ２０８上で原盤２１０を保持して回転駆動するスピンドルモータ２０６と、原盤２１０に向けて電子線を発生する電子源２０２と、電磁石を有する電子線調整系２０４ａ及び電子線集束系２０４ｂと、を備えている。また、電子線露光装置２００は、制御系として、電子源２０２に接続された電子源コントローラ２１２、電子線調整系２０４ａ及び電子線集束系２０４ｂに接続された電子ビームコントローラ２１４、スピンドルモータ２０６に接続されたスピンドルモータドライバ２１６、二次元ステージに接続されたステージドライバ２１８、及びこれらのコントローラ及びドライバを統括制御するメインコントローラ２２０等、を備えている。
【００２９】
上記のように構成される電子線露光装置２００によると、電子源２０２から発せられた電子線は、電子線調整系２０４ａ及び電子線集束系２０４ｂにより、原盤２１０上に集束される。一方、メインコントローラ２２０は、フォーマッタ２２２からの情報に基づいてスピンドルモータドライバ２１６を介してスピンドルモータ２０６を回転駆動して原盤２１０の回転位置を調整する。また、メインコントローラ２２０は、ステージドライバ２１８を介して二次元ステージ２０８を駆動し、電子線集束位置に対する原盤２１０の位置調整も行う。さらに、メインコントローラ２２０は、フォーマッタ２２２からの情報に基づいて、電子源コントローラ２１２を介して電子線の強弱と位置を高速で変調して、原盤２１０に対するビット情報の記録を行う。
【００３０】
上記のようにして電子線露光が行われた後、当該露光後の原盤２１０に対してエッチングを施すことにより、磁気ディスク１０に形成するビットパターン（記録ビット）に対応した凹凸パターンが形成されるようになっている（図４のステップＳ１４）。
【００３１】
その後、アッシング等によりレジストを除去する（ステップＳ１６）とともに、原盤の洗浄を行うことにより（ステップＳ１８）、ＢＰＭ原盤が完成する。
【００３２】
これに対し、磁気ディスク１０の製造は、図４のステップＳ２０〜Ｓ５０に沿って実行される。すなわち、まず、磁気ディスク１０の基板（ガラス基板）１０ａを製造し（ステップＳ２０）、当該ガラス基板１０ａ上に、密着層１０ｂ、ＳＵＬ層１０ｃ、下地層１０ｄ、中間層１０ｅ、垂直磁性層１０ｆ、保護層１０ｈをスパッタリング法を用いて順次積層（成膜）する（ステップＳ２２〜Ｓ３０）。そして、各層が順次成膜されたガラス基板に対して、上記ステップＳ１０〜Ｓ１８を経て製造されたＢＰＭ原盤を用いて、ナノインプリント用のレジストを充填する（ステップＳ３２）とともに、ＵＶを照射する（ステップＳ３４）。その後、ＢＰＭ原盤を剥離する（ステップＳ３６）ことで、ガラス基板上にビット（レジストビット）を形成する。また、上記のようにして形成されたレジストビットに対して、エッチングを行うとともに（ステップＳ３８）、アッシングによりレジストを除去する（ステップＳ４０）ことで、ガラス基板１０ａ上にビットパターン（記録ビット）が形成される。
【００３３】
さらに、ビットパターン（記録ビット）が形成されたガラス基板１０ａ上に、金属等の充填層（非磁性層）１０ｇ（図３参照）を成膜（ステップＳ４２）した後、逆スパッタリング等により磁気ディスク１０の平坦化を行う（ステップＳ４４）。そして、ガラス基板を洗浄（ステップＳ４６）した後に保護層１０ｈを形成し（ステップＳ４８）、潤滑剤を塗布して潤滑層（不図示）を形成する（ステップＳ５０）ことにより、磁気ディスク１０が完成する。このような工程を経て製造される磁気ディスク１０上には、例えば、図６のようなビットパターン（記録ビット）が形成されるようになっている。この図６に示すビットパターン（記録ビット）は、ダウントラック方向（ヘッドが走査する方向）の長さ（ビット長さ）が２５ｎｍであり、最小ビットピッチが４０ｎｍとなっている。また、クロストラック方向の長さ（ビット幅）が３０ｎｍであり、トラックピッチが５０ｎｍとなっている。
【００３４】
次に、磁気ディスク１０に対するコンテンツ情報（Ｉｏ）の記録方法について、図７〜図１０に基づいて説明する。
【００３５】
本実施形態では、図７に示すように、メインコントロールユニット６０に含まれる演算部９０が、第２の情報としてのコンテンツ情報（Ｉｏ）及び認証情報（Ｉｋ）と、第１の情報としてのＲＯＭ情報（Ｉｂ）とを用いて、第３の情報としての磁気記録情報（Ｉａ）を演算し、当該情報（Ｉａ）をヘッド１９を用いて磁気ディスク１０上に記録する。ここで、磁気ディスク１０への情報（Ｉａ）の記録とは、実際には、磁気ディスク１０上の記録ビットへのコンテンツ情報（Ｉｏ）及び認証情報（Ｉｋ）の記録を意味している。図７の演算部９０は、図８に示すように、第１プリコード部６２と、スクランブル部６４と、第２プリコード部６６と、エンコード部６８とを備えている。
【００３６】
図９は、メインコントロールユニット６０（演算部９０を含む）による磁気記録情報（Ｉａ）を記録する際の処理の流れを示すフローチャートである。この図９に示すように、ステップＳ１０２では、メインコントロールユニット６０が、外部から入力されるコンテンツ情報（Ｉｏ）を読み込み、データバッファメモリ５８に取り込む。次いで、ステップＳ１０４では、メインコントロールユニット６０がメモリ５６（図２参照）から認証情報（Ｉｋ）を読み込み、データバッファメモリ５８に取り込む。
【００３７】
次いで、ステップＳ１０６では、メインコントロールユニット６０の指示の下、サーボコントローラ５４がボイスコイルモータ５０を駆動してヘッド１９をコンテンツ情報を書き込む位置に移動する。また、次のステップＳ１０８では、メインコントロールユニット６０が、ヘッド１９を介してＲＯＭ情報（Ｉｂ）（磁気ディスク１０に形成された記録ビットの物理的配列に基づく情報）を取得する。
【００３８】
次いで、ステップＳ１１０では、メインコントロールユニット６０（演算部９０）が、取得した情報（Ｉｏ），（Ｉｋ），（Ｉｂ）を用いて、磁気記録情報（Ｉａ）を演算する。この場合、演算部９０では、図８に示すように、コンテンツ情報（Ｉｏ）が第１プリコード部６２にてプリコードされ、当該プリコードされたコンテンツ情報（Ｉｏ）と認証情報（Ｉｋ）とがスクランブル部６４にてスクランブルされる。また、当該スクランブルされた情報に、第２プリコード部６６にてプリコードされたＲＯＭ情報（Ｉｂ）が加えられてエンコード部６８にてエンコードされることにより、磁気記録情報（Ｉａ）が演算される。なお、演算に関しては、図８の方法に限らず、種々の演算を採用することが可能である。
【００３９】
図９に戻り、次のステップＳ１１２では、メインコントロールユニット６０の指示の下、サーボコントローラ５４がボイスコイルモータ５０を駆動してヘッド１９を前述したコンテンツ情報を書き込む位置に移動する。また、次のステップＳ１１４では、ヘッド１９を用いて当該位置に磁気記録情報（Ｉａ）を記録する。
【００４０】
ここで、磁気記録情報（Ｉａ）は、ヘッド１９により、ＲＯＭ情報（Ｉｂ）と同一位置に記録される。より具体的には、ＲＯＭ情報（Ｉｂ）及び磁気記録情報（Ｉａ）はセクタ管理されているので、各情報がセクタごとに対応した状態で記録される。
【００４１】
本実施形態では、ＲＯＭ情報（Ｉｂ）を構成する記録ビットは、最小ビットピッチの２倍以上の間隔で配置され（すなわち、記録ビットがヘッドの走査方向に関して、少なくとも一側の記録ビットと隣接する）、その間隔（走査方向に関する配列数）の変動量により情報が得られるようになっている。一方、磁気記録情報（Ｉａ）は、記録ビットの磁化方向の変化パターンにより記録される。本実施形態では、垂直磁気記録方式を用いているので、磁気ディスク１０の平面（表面）に垂直な磁化方向（上向き又は下向き）の変化パターンにより記録される。この場合、例えば、図１０（ａ）に示すような配列で、磁気ディスク１０上に記録ビットが存在していたとすると、図１０（ｂ）に示すように、黒色に塗られた記録ビットが下向きに磁化され、白色の記録ビットが上向きに磁化されるなどすることにより、磁気記録情報（Ｉａ）が磁気ディスク１０に記録される。
【００４２】
図９に戻り、次のステップＳ１１６では、サーボコントローラ５４がボイスコイルモータ５０を駆動してヘッド１９を磁気記録情報（Ｉａ）を書き込んだ位置に再度移動する。また、次のステップＳ１１８において、磁気記録情報（Ｉａ）が正しく書き込まれているか否かを、メインコントロールユニット６０内に設けられたベリファイ部（不図示）が検査する（ベリファイする）。なお、このベリファイにより、磁気記録情報（Ｉａ）が書き込まれていないことが判明した場合には、正しく書き込まれるまで、ステップＳ１１２〜Ｓ１１８を繰り返す。以上のようにして、磁気記録情報（Ｉａ）が正しく書き込まれた段階で、図９の全処理が終了する。
【００４３】
なお、上記においては説明を省略しているが、実際には、磁気記録情報（Ｉａ）にはＥＣＣ（Error Correction Code）が付加されており、この情報が、磁気ディスク１０に記録されているものとする。
【００４４】
次に、上述したようにして磁気ディスク１０に記録した情報からコンテンツ情報（Ｉｏ）を読み出す方法について、図１１〜図１４に基づいて説明する。
【００４５】
本実施形態では、図１１に示すように、メインコントロールユニット６０に含まれる演算部９０、比較器９２、出力部９４、ＥＣＣ演算部９６、及びヘッド１９を用いて行われる。ここで、ヘッド１９は第１、第２の再生手段を構成し、演算部９０は情報取得手段を構成し、比較器９２及び出力部９４は出力制御手段を構成し、ＥＣＣ演算部９６は消去禁止手段を構成している。
【００４６】
なお、演算部９０は、情報の読み出しを行うための構成として、図８の記録用の構成に加えて、図１２に示すデコード部７２、プリデコード部７４、デスクランブル部７６、及びプリデコード部７８を更に備えている。
【００４７】
図１３は、メインコントロールユニット６０（演算部９０、比較器９２、出力部９４を含む）によるコンテンツ情報（Ｉｏ）を読み出す（再生する）際の処理の流れを示すフローチャートである。
【００４８】
この図１３では、ステップＳ１３２において、メインコントロールユニット６０が、ヘッド１９を用いて磁気記録情報（Ｉａ）を読み出す。このとき読み出される磁気記録情報（Ｉａ）の一例が、図１４（ａ）に示されている。この図１４（ａ）の波形は、磁気記録情報（Ｉａ）の読み出し信号をコンパレータ処理によりデジタル化した出力波形である。この図１４（ａ）に示すように、記録ビットが存在しない部分の出力波形はゼロレベルを示すが、磁気記録情報（Ｉａ）による磁化方向に応じて出力波形が変化するようになっている。
【００４９】
図１３に戻り、次のステップＳ１３４では、ＥＣＣ演算部９６がＥＣＣの確認を行う。このＥＣＣの確認により再生データに誤りが無いか（訂正不可かどうか）判断し、誤りが無いと判断された場合には、ステップＳ１３６に移行する。これに対し、誤りがあった場合には、ステップＳ１３２に戻る。
【００５０】
ステップＳ１３６では、メインコントロールユニット６０が、ヘッド１９を用いて読み出した磁気記録情報（Ｉａ）が書き込まれていた部分（記録ビット）の磁化を一定方向に向けて、データを消去（ＤＣイレーズ）する。このように、本実施形態では、ステップＳ１３４においてＥＣＣの確認を実行した後で、データの消去（ＤＣイレーズ）を実行しているので、再生データに誤りがあるような場合にまで、データを消去してしまうような事態を回避することが可能である。
【００５１】
次いで、ステップＳ１３８では、メインコントロールユニット６０がＤＣイレーズ確認フラグをセットする。このように、ＤＣイレーズ確認フラグをセットすることとしているのは、後で別の情報を書き込む際に、どの記録ビットにデータを書き込むことができるのかを容易に判別できるようにしておく必要があるからである。
【００５２】
次のステップＳ１４０では、メインコントロールユニット６０が、ヘッド１９を用いてＲＯＭ情報（Ｉｂ）を再生（取得）する。この場合、ＲＯＭ情報（Ｉｂ）としては、図１４（ｂ）に示すような出力波形を取得することができる。また、このステップＳ１４０では、このＲＯＭ情報（Ｉｂ）とステップＳ１３２で読み出した磁気記録情報（Ｉａ）とを用いて、演算処理を実行する。この場合、図１２に示すように、まず、プリデコード部７４にてプリデコードされたＲＯＭ情報（Ｉｂ）に磁気記録情報（Ｉａ）を加えたものを演算部９０のデコード部７２にてデコードし、当該デコードされた情報をデスクランブル部７６にてデスクランブルする。このデスクランブルにより、認証情報（Ｉｋ）が取り出されるので、残りの情報をプリデコード部７８にてプリデコードしたものが、コンテンツ情報（Ｉｏ）となる。
【００５３】
次のステップＳ１４２では、メインコントロールユニット６０の比較器９２（図１１参照）が、ユーザから入力されるパスワードを取得し、当該パスワードと認証情報（Ｉｋ）とを比較した結果に基づいて、データを出力しても良いか否かを判断する。ここでの判断が肯定された場合には、ステップＳ１４４において出力部９４からコンテンツ情報（Ｉｏ）を外部に出力して、図１３の全処理を終了する。一方、ここでの判断が否定された場合には、情報を出力することなく、図１３の全処理を終了する。
【００５４】
ところで、本実施形態では、図１４（ａ）に示す最密パターン部分（磁化方向の反転が記録ビット１つおきになっている部分）を除けば、記録パターンが存在しない部分が０レベルとなり、記録パターンが存在する部分が０以外のレベルとなる。したがって、最密パターンが存在しなければ、第三者は、図１４（ａ）の情報から図１４（ｂ）のＲＯＭ情報（Ｉｂ）を容易に解析することができてしまい、結果的にコンテンツ情報（Ｉｏ）が容易に取得されてしまうおそれがある。
【００５５】
これに対し、図１５に示すように、ビット反転間隔を小さくすることにより、出力信号が減少することが知られている。したがって、図１６に示すような最密パターンを採用すれば、その出力を、反転間隔が長いパターンの出力の約１０％まで減少させることが可能となる。
【００５６】
したがって、本実施形態では、図１６に示すように、磁気記録情報（Ｉａ）の基本記録ビット長に対して、ＲＯＭ情報（Ｉｂ）の基本記録ビット長を長く設定することにより、最密パターン部分を設け、最密パターン部分の出力をノイズ程度まで小さくする。これにより、図１４（ａ）の情報のみに基づく、図１４（ｂ）に示すＲＯＭ情報（Ｉｂ）の正確な解析は不可能になるので、磁気記録情報（Ｉａ）の消去をＲＯＭ情報（Ｉｂ）の読み出しの必要条件とすることが可能となる。
【００５７】
一方、図１６等に示すように、記録ビットが存在しない部分は、磁気記録情報（Ｉａ）を記録することは不可能であるため、磁気記録情報（Ｉａ）とＲＯＭ情報（Ｉｂ）の基本記録ビット長を同一とすると、磁気記録情報（Ｉａ）の情報量はＲＯＭ情報（Ｉｂ）の半分になってしまう。このように、一方の情報が極端に少なくなると、磁気記録情報（Ｉａ）とＲＯＭ情報（Ｉｂ）のデコードにあたり、情報量の少ない情報が容易に類推されるおそれがある。すなわち、極端な例を挙げれば、磁気記録情報（Ｉａ）が５１２ByteでＲＯＭ情報（Ｉｂ）が１Byteであったとすると、情報量の少ない側のデータ（ここではＲＯＭ情報（Ｉｂ））が容易に解読されてしまうおそれがある。
【００５８】
したがって、本実施形態では、上記観点からは、ＲＯＭ情報（Ｉｂ）の単位領域あたりの記録密度を、磁気記録情報（Ｉａ）の単位領域あたりの記録密度と略同一にする。
【００５９】
そこで、本実施形態では、上述したように磁気記録情報（Ｉａ）の基本記録ビット長に対して、ＲＯＭ情報（Ｉｂ）の記録ビット長が長いという条件の下で、ＲＯＭ情報（Ｉｂ）を形成するビットの出現確率を１／２に設定している。すなわち、例えば、図６に示すように、磁気記録情報（Ｉａ）の最短記録ビット長がビットピッチ４０ｎｍ、最短反転間隔が４０ｎｍであるならば、ＲＯＭ情報（Ｉｂ）の最短ビット長をビット２つ分の８０ｎｍ、最短反転間隔を８０ｎｍとするなど、ＲＯＭ情報（Ｉｂ）の基本ビット長を、磁気記録情報（Ｉａ）の基本記録ビット長の２倍に設定し、これにより、磁気記録情報（Ｉａ）の記録密度とＲＯＭ情報（Ｉｂ）の記録密度を同一に設定している。
【００６０】
なお、磁気記録情報（Ｉａ）とＲＯＭ情報（Ｉｂ）の信号波形は、ＤＣレベルの変動が大きいと再生が難しくなるため、ＤＣフリーであることが望ましい。
【００６１】
以上、詳細に説明したように、本実施形態によると、ＲＯＭ情報（Ｉｂ）とコンテンツ情報（Ｉｏ）及び認証情報（Ｉｋ）とを含む磁気記録情報（Ｉａ）をヘッド１９で読み出し、当該磁気記録情報（Ｉａ）を読み出した後に、ヘッド１９を用いてＤＣイレーズする。また、ＤＣイレーズ後、ＲＯＭ情報（Ｉｂ）を読み出し、演算部９０がこれら情報（Ｉａ），（Ｉｂ），（Ｉｋ）からコンテンツ情報（Ｉｏ）を取得する。このように、ＤＣイレーズ後にはじめて読み出すことが可能となるＲＯＭ情報（Ｉｂ）を用いてコンテンツ情報（Ｉｏ）を取得するので、コンテンツ情報（Ｉｏ）取得の際には、磁気ディスク１０上にコンテンツ情報（Ｉｏ）が残存することが無い。したがって、コンテンツ情報（Ｉｏ）を読み出した後、第三者にコンテンツ情報（Ｉｏ）を取得（不正コピーなど）されることがなくなることから、情報のセキュリティを向上することが可能である。
【００６２】
また、本実施形態によると、認証情報（Ｉｋ）と外部から入力されるパスワードを用いた認証を実行し、当該認証結果に応じて、コンテンツ情報（Ｉｏ）の外部出力を制御することとしているので、コンテンツ情報（Ｉｏ）のセキュリティを更に向上することが可能である。
【００６３】
また、本実施形態によると、ＲＯＭ情報（Ｉｂ）の基本ビット長が、磁気記録情報（Ｉａ）の基本記録ビット長の２倍であるので、ＤＣイレーズする前におけるＲＯＭ情報（Ｉｂ）の解読を困難にするとともに、ＲＯＭ情報（Ｉｂ）と磁気記録情報（Ｉａ）との記録密度を同一にすることができる。これにより、コンテンツ情報のセキュリティを向上することが可能である。
【００６４】
また、本実施形態によると、磁気記録情報（Ｉａ）にエラー訂正符号（ＥＣＣ）が含まれており、ＥＣＣ演算部９６がエラー訂正符号を確認してデータに誤りが無いことを確認した段階で、ＤＣイレーズを行うこととしているので、磁気記録情報（Ｉａ）を取得できていない状態で当該情報を消去するような事態を回避することが可能である。
【００６５】
なお、上記実施形態においては、磁気記録情報（Ｉａ）にコンテンツ情報（Ｉｏ）、認証情報（Ｉｋ）、ＥＣＣなどが含まれている場合について説明したが、これに限られるものではなく、その他の情報を含めることとしても良い。例えば、磁気記録情報（Ｉａ）に位置制御情報を含めることも可能である。この場合、磁気記録情報（Ｉａ）を用いることにより、コンテンツ情報の取得のみならず、ヘッドのアクセス制御を監視することも可能となる。
【００６６】
また、上記実施形態では、磁気記録情報（Ｉａ）に認証情報（Ｉｋ）を含める場合について説明したが、これに限られるものではなく、磁気記録情報（Ｉａ）には認証情報（Ｉｋ）を含めないこととしても良い。この場合、パスワード等による認証を行うことなく、コンテンツ情報（Ｉｏ）を外部に出力することとなるが、コンテンツ情報（Ｉｏ）を取得する時点で、ＤＣイレーズを実行するという観点からは、セキュリティの向上を期待することが可能である。
【００６７】
上述した実施形態は本発明の好適な実施の例である。但し、これに限定されるものではなく、本発明の要旨を逸脱しない範囲内において種々変形実施可能である。
【図面の簡単な説明】
【００６８】
【図１】一実施形態に係るＨＤＤの構成を示す平面図である。
【図２】図１のＨＤＤの制御系を示すブロック図である。
【図３】図１の磁気ディスクの構成を示す図である。
【図４】図３の磁気ディスクの製造方法を示すフローチャートである。
【図５】ＢＰＭ原盤の製造に用いられる電子線露光装置の構成を示す図である。
【図６】磁気ディスク上の記録ビットの配置例を示す図である。
【図７】磁気ディスクに対する情報の書き込み処理を行う構成について示すブロック図である。
【図８】図７の演算部の構成（書き込み処理を行う構成）を示すブロック図である。
【図９】磁気ディスクに対する情報の書き込み処理の手順を示すフローチャートである。
【図１０】磁気ディスクに情報を書き込んだ状態を模式的に示す図である。
【図１１】磁気ディスクからの情報の読み出し処理を行う構成について示すブロック図である。
【図１２】図１１の演算部の構成（読み出し処理を行う構成）について示すブロック図である。
【図１３】磁気ディスクから情報を読み出す処理の手順を示すフローチャートである。
【図１４】磁気ディスクから情報を読み出した際に取得される信号の一例を示す図である。
【図１５】ビット反転間隔と出力との関係を示す図である。
【図１６】情報（Ｉａ）の基本記録ビット長と、情報（Ｉｂ）の基本記録ビット長について説明するための図である。
【図１７】従来のＢＭＰ媒体のパターンドビットの配列例を示す図である。
【図１８】従来の情報記憶媒体（磁気ディスク）から情報を読み出す処理を実行する構成について示す図である。
【符号の説明】
【００６９】
１０  磁気ディスク（情報記憶媒体）
１９  ヘッド（第１、第２の再生手段）
９０  演算部（情報取得手段）
９２  比較器（出力制御手段）
９４  出力部（出力制御手段）
９６  ＥＣＣ演算部（消去禁止手段）
１００  ＨＤＤ（情報記憶装置）
【図１】
2010049733.tif 000003
【図２】
2010049733.tif 000004
【図３】
2010049733.tif 000005
【図４】
2010049733.tif 000006
【図５】
2010049733.tif 000007
【図６】
2010049733.tif 000008
【図７】
2010049733.tif 000009
【図８】
2010049733.tif 000010
【図９】
2010049733.tif 000011
【図１０】
2010049733.tif 000012
【図１１】
2010049733.tif 000013
【図１２】
2010049733.tif 000014
【図１３】
2010049733.tif 000015
【図１４】
2010049733.tif 000016
【図１５】
2010049733.tif 000017
【図１６】
2010049733.tif 000018
【図１７】
2010049733.tif 000019
【図１８】
2010049733.tif 000020